(57)【要約】【課題】流体に含まれる異物の摺動部への侵入を効果的に抑制可能な制御弁を提供する。【解決手段】ある態様の制御弁は、弁孔１８とガイド孔２６とが中間圧力室２４を介して軸線方向に連通するように形成され、中間圧力室２４に流体を導入するためのポート１４が側方に開口するように形成され、弁孔１８を通過した流体を導出するためのポート１２が形成されたボディと、ポート１２側から弁孔１８に接離して弁部を開閉する弁体３３と、ガイド孔２６に摺動可能に支持され、弁孔１８を貫通して弁体３３と一体に設けられた作動ロッド５０と、を備える。中間圧力室２４におけるポート１４とガイド孔２６との間にガイド孔２６と同軸状に形成され、ポート１４から侵入した異物を受け止めるための底面を有する段差部２７が設けられ、段差部２７を画定する内壁３１の径が、弁孔１８の径よりも大きくなるように構成されている。【選択図】図２
2016037929.tif 000002
【特許請求の範囲】
【請求項１】
対象装置を流れる流体の流れを調整するための制御弁であって、
弁孔とガイド孔とが中間圧力室を介して軸線方向に連通するように形成され、前記中間圧力室に流体を導入するための導入ポートが側方に開口するように形成され、前記弁孔を通過した流体を導出するための導出ポートが形成されたボディと、
前記導出ポート側から前記弁孔に接離して弁部を開閉する弁体と、
前記ガイド孔に摺動可能に支持され、前記弁孔を貫通して前記弁体と一体に設けられた作動ロッドと、
前記作動ロッドに対して前記弁部の開閉方向の駆動力を付与可能なアクチュエータと、
を備え、
前記中間圧力室における前記導入ポートと前記ガイド孔との間に前記ガイド孔と同軸状に形成され、前記導入ポートから侵入した異物を受け止めるための底面を有する段差部が設けられ、
前記段差部を画定する内壁の径が、前記弁孔の径よりも大きくなるように構成されていることを特徴とする制御弁。
【請求項２】
前記段差部の底面と前記内壁とのなす角度が９０度以下となるように構成されていることを特徴とする請求項１に記載の制御弁。
【請求項３】
前記弁孔の径と前記ガイド孔の径とが実質的に等しくされ、
前記作動ロッドが、前記弁孔を貫通して前記弁体と一体に連結される縮径部を有することを特徴とする請求項１または２に記載の制御弁。
【請求項４】
吸入室に導入される冷媒を圧縮して吐出室から吐出する可変容量圧縮機を前記対象装置として組み込まれ、その可変容量圧縮機の吐出容量を、前記吐出室からクランク室に導入する冷媒の流量を調整することにより変化させる制御弁として構成され、
前記ボディは、一端側から前記導出ポートとして前記クランク室に連通するクランク室連通ポートと、前記導入ポートとして前記吐出室に連通する吐出室連通ポートと、前記吸入室に連通する吸入室連通ポートとを有し、
前記ボディの他端側に前記アクチュエータとしてのソレノイドが設けられ、
前記ソレノイドの駆動力が前記作動ロッドを介して前記弁体に伝達され、
前記ボディと前記ソレノイドとの間に、前記吸入室連通ポートと連通する作動室が形成され、
前記作動ロッドの前記弁体とは反対側端部が前記作動室に位置することを特徴とする請求項１〜３のいずれかに記載の制御弁。
【発明の詳細な説明】
【技術分野】
【０００１】
本発明は制御弁に関し、特に摺動部への異物の侵入による弁作動のロックを防止するための構造に関する。
【背景技術】
【０００２】
自動車用空調装置は、一般に、圧縮機、凝縮器、蒸発器等を冷媒循環通路に配置して構成される。この冷媒循環通路の切り替えや冷媒流量の調整等のために、種々の制御弁が設けられている。このような制御弁として、ボディに摺動可能に支持されるシャフトを有し、そのシャフトの一端に弁体が設けられるものがある（例えば特許文献１参照）。シャフトは、ボディに一体に設けられたアクチュエータにより軸線方向に駆動され、弁体を弁部の開閉方向に作動させる。開弁時にはシャフトに向けて冷媒が導入され、その冷媒のほとんどはシャフトの外周に沿って一方向に導かれて弁孔を通過する。
【０００３】
しかし、その冷媒の一部は他方向にあるシャフトとボディとの摺動部にも流入するため、それによりシャフトの円滑な摺動が妨げられる可能性がある。すなわち、このような空調装置においては、圧縮機の吐出冷媒に金属粉などの異物が含まれることがある（例えば、圧縮機のピストン周辺の摩耗等により発生することがある）。この異物が制御弁の摺動部に流入すると、その異物の噛み込みによりシャフトひいては弁体の作動をロックさせてしまう可能性がある。そこで、特許文献１に記載の構成では、シャフトとボディとの摺動部にラビリンス構造を設け、その摺動部への冷媒の流入を抑制する手法がとられている。
【先行技術文献】
【特許文献】
【０００４】
【特許文献１】特開２００１−３４９２７８号公報
【発明の概要】
【発明が解決しようとする課題】
【０００５】
しかしながら、このようなラビリンス構造は、シャフトとボディとの摺動部における冷媒の流れを抑制できるものの、摺動部入口への異物の堆積や、それによる摺動部への異物の侵入を回避させるには十分ではなかった。なお、このような問題は自動車用空調装置に限らず、制御弁を搭載する装置においては同様に発生しうる。
【０００６】
本発明の目的は、流体に含まれる異物の摺動部への侵入を効果的に抑制可能な制御弁を提供することにある。
【課題を解決するための手段】
【０００７】
本発明のある態様は、対象装置を流れる流体の流れを調整するための制御弁である。この制御弁は、弁孔とガイド孔とが中間圧力室を介して軸線方向に連通するように形成され、中間圧力室に流体を導入するための導入ポートが側方に開口するように形成され、弁孔を通過した流体を導出するための導出ポートが形成されたボディと、導出ポート側から弁孔に接離して弁部を開閉する弁体と、ガイド孔に摺動可能に支持され、弁孔を貫通して弁体と一体に設けられた作動ロッドと、作動ロッドに対して弁部の開閉方向の駆動力を付与可能なアクチュエータと、を備える。中間圧力室における導入ポートとガイド孔との間にガイド孔と同軸状に形成され、導入ポートから侵入した異物を受け止めるための底面を有する段差部が設けられ、段差部を画定する内壁の径が、弁孔の径よりも大きくなるように構成されている。
【０００８】
この態様によると、導入ポートを介して導入された流体に異物が含まれていたとしても、その異物のほとんどは弁孔に直接導かれるか、又は中間圧力室に設けられた段差部によって一旦受け止められた後に弁孔に導かれる。すなわち、段差部を設けたことにより、異物が作動ロッドとガイド孔との摺動部に直接導かれることが抑制される。その結果、流体に含まれる異物の摺動部への侵入を効果的に抑制することが可能となる。
【発明の効果】
【０００９】
本発明によれば、流体に含まれる異物の摺動部への侵入を効果的に抑制可能な制御弁を提供することができる。
【図面の簡単な説明】
【００１０】
【図１】実施形態に係る制御弁の構成を示す断面図である。
【図２】異物排出促進構造を表す図である。
【図３】図２のＣ部拡大図である。
【発明を実施するための形態】
【００１１】
以下、本発明の実施形態を、図面を参照して詳細に説明する。なお、以下の説明においては便宜上、図示の状態を基準に各構造の位置関係を上下と表現することがある。
【００１２】
図１は、実施形態に係る制御弁の構成を示す断面図である。
制御弁１は、自動車用空調装置の冷凍サイクルに設置される図示しない可変容量圧縮機（単に「圧縮機」という）を制御する制御弁として構成されている。この圧縮機は、冷凍サイクルを流れる冷媒を圧縮して高温・高圧のガス冷媒にして吐出する。そのガス冷媒は凝縮器（外部熱交換器）にて凝縮され、さらに膨張装置により断熱膨張されて低温・低圧の霧状の冷媒となる。この低温・低圧の冷媒が蒸発器にて蒸発し、その蒸発潜熱により車室内空気を冷却する。蒸発器で蒸発された冷媒は、再び圧縮機へと戻されて冷凍サイクルを循環する。
【００１３】
圧縮機は、圧縮用のピストンが連結された揺動板を備え、その揺動板の角度を変化させてピストンのストロークを変えることにより冷媒の吐出量を調整する。制御弁１は、その圧縮機の吐出室からクランク室に導入する冷媒流量を制御することで揺動板の角度を変化させる。冷媒には例えば代替フロン（ＨＦＣ−１３４ａ）が使用されるが、他の冷媒（ＨＦＯ−１２３４ｙｆ等）を使用してもよい。あるいは、二酸化炭素のように作動圧力が高い冷媒を用いてもよい。その場合には、冷凍サイクルに凝縮器に代わってガスクーラなどの外部熱交換器を配置してよい。
【００１４】
制御弁１は、圧縮機の吐出室とクランク室とを連通させる冷媒通路に弁部を有し、吐出室からクランク室に導入する冷媒流量を制御する電磁弁として構成されている。制御弁１は、圧縮機の吸入圧力Ｐｓを設定圧力に保つように、吐出室からクランク室に導入する冷媒流量を制御するいわゆるＰｓ感知弁として構成されている。
【００１５】
制御弁１は、弁本体２とソレノイド３とを一体に組み付けて構成される。弁本体２は、圧縮機の運転時に吐出冷媒の一部をクランク室へ導入するための冷媒通路を開閉する主弁と、圧縮機の起動時にクランク室の冷媒を吸入室へ逃がすいわゆるブリード弁として機能する副弁とを含む。ソレノイド３は、主弁を開閉方向に駆動してその開度を調整し、クランク室へ導入する冷媒流量を制御する。弁本体２は、段付円筒状のボディ５、ボディ５内に設けられた主弁および副弁を備えている。
【００１６】
ボディ５は、本実施形態では真鍮からなるが、アルミニウム合金からなるものとしてもよい。ボディ５の上端開口部にはポート１２が設けられ、側部にはポート１４が設けられている。ボディ５の下端開口部は、後述する接続部材４７との間に設けられたポート１６に連通する。ポート１２はクランク室に連通する「クランク室連通ポート」として機能し、ポート１４は吐出室に連通する「吐出室連通ポート」として機能し、ポート１６は吸入室に連通する「吸入室連通ポート」として機能する。ボディ５内には、ポート１２とポート１４とを連通させる主通路と、ポート１２とポート１６とを連通させる副通路とが形成されている。主通路には主弁が設けられ、副通路には副弁が設けられている。主通路を構成するボディ５の一部には弁孔１８（主弁孔）が設けられ、その上端開口部に弁座２０（主弁座）が形成されている。
【００１７】
ポート１４は、吐出室から吐出圧力Ｐｄの冷媒を導入する「導入ポート」として機能する。ポート１２は、圧縮機の定常動作時に主弁を経由したクランク圧力Ｐｃの冷媒をクランク室へ向けて導出する「導出ポート」として機能し、圧縮機の起動時にはクランク室から排出されたクランク圧力Ｐｃの冷媒を導入する「導入ポート」として機能する。このとき導入された冷媒は、副弁に導かれる。ポート１６は、圧縮機の定常動作時に吸入圧力Ｐｓの冷媒を導入する「導入ポート」として機能し、圧縮機の起動時には副弁を経由した吸入圧力Ｐｓの冷媒を吸入室へ向けて導出する「導出ポート」として機能する。
【００１８】
弁孔１８のポート１２とは反対側には中間圧力室２４が形成される。中間圧力室２４は、ポート１４と半径方向に連通している。中間圧力室２４の弁孔１８とは反対側には、弁孔１８と同軸状にガイド孔２６が形成されている。ガイド孔２６の中間圧力室２４とは反対側には作動室２８が形成され、ポート１６と連通している。
【００１９】
ポート１４には環状のストレーナ１５が取り付けられている。ストレーナ１５は、ボディ５の内部への異物の侵入を抑制するためのフィルタを含む。一方、ポート１２には有底円筒状のストレーナ１３が取り付けられている。ストレーナ１３は、ボディ５の内部への異物の侵入を抑制するためのフィルタを含む。
【００２０】
ボディ５の軸線に沿って、弁孔１８とガイド孔２６とが同軸状に設けられている。そして、その弁孔１８およびガイド孔２６を軸線方向に貫通するように長尺状の作動ロッド５０が配設されている。作動ロッド５０はステンレス鋼からなる。
【００２１】
作動ロッド５０は、段付円柱状をなし、ガイド孔２６に摺動可能に支持され、その上端部が縮径して弁孔１８を貫通し、その先端部に弁体３３（主弁体）が一体に設けられている。すなわち、作動ロッド５０は、縮径部５１を介して弁体３３と連設されている。弁体３３は、ポート１２側から弁座２０に着脱して主弁（弁部）を開閉する。作動ロッド５０には、軸線方向に貫通する内部通路３５が設けられている。作動ロッド５０の下端部が弁体３８（副弁体）を形成している。作動ロッド５０の摺動面には、冷媒の流通を抑制するための複数の環状溝からなるラビリンスシール８４が設けられている。
【００２２】
ボディ５の上端開口部にはばね受け３４が螺着されており、そのばね受け３４と作動ロッド５０との間には、弁体３３を主弁の閉弁方向に付勢するスプリング３７（「付勢部材」として機能する）が介装されている。スプリング３７の荷重は、ばね受け３４のボディ５への螺入量を変化させることにより調整することができる。
【００２３】
弁本体２とソレノイド３とは、磁性材料からなる筒状の接続部材４７を介して接続されている。すなわち、ボディ５の下端部が接続部材４７の上端部に圧入され、ソレノイド３のケース５２の上端部に接続部材４７の下端部が圧入されている。そして、ボディ５の下端側部にポート１６が設けられ、弁本体２とソレノイド３とに囲まれる空間に作動室２８が形成されている。
【００２４】
一方、ソレノイド３は、ヨークとしても機能する円筒状のケース５２と、ケース５２内に挿通された円筒状のスリーブ４４と、スリーブ４４の下端部に固定された段付円筒状のコア４２と、コア４２と軸線方向に対向配置されたプランジャ４６と、コア４２およびスリーブ４４に外挿された円筒状のボビン４８と、ボビン４８に巻回され、通電により磁気回路を生成する電磁コイル５３と、ケース５２の下端開口部を封止するように設けられた端部材５４とを備える。なお、本実施形態においては、ボディ５、接続部材４７、ケース５２および端部材５４が制御弁１全体のボディを形成している。
【００２５】
プランジャ４６は、薄膜状のダイヤフラム６５を挟んで分割された２つのプランジャからなり、その一方である第１プランジャ６６がスリーブ４４の内部に配置され、他方の第２プランジャ６８がボディ５と接続部材４７とにより囲まれる空間に配置されている。ダイヤフラム６５は、スリーブ４４の上端開口部を封止し、スリーブ４４の内方に基準圧力室を形成する。本実施形態において、この基準圧力室には大気が満たされるが、真空状態としてもよい。ダイヤフラム６５は、可撓性を有する感圧部材であり、ポリイミドフィルムを複数枚重ねて構成されている。ダイヤフラム６５は、基準圧力室とは反対側面にて吸入圧力Ｐｓを感知し、その外周縁部を支点として変位することにより、プランジャ４６に対して開弁方向または閉弁方向の駆動力を付与する。なお、変形例においては、ダイヤフラム６５として金属ダイヤフラムを採用してもよい。
【００２６】
第２プランジャ６８の上面中央には凹部７０が形成され、その中央のフラットな面に作動ロッド５０の下端面が接離可能に支持されている。すなわち、第２プランジャ６８の上面中央が弁座３６（副弁座）を形成しており、弁体３８が弁座３６に着脱して副弁を開閉する。第２プランジャ６８の側部には、凹部７０の内外を連通させる連通孔２１が設けられている。
【００２７】
また、第２プランジャ６８の上端部には、半径方向外向きに延びるフランジ部２２が設けられており、そのフランジ部２２の下面を接続部材４７の上面と対応させるようにしている。これにより、ソレノイド３の通電時にフランジ部２２と接続部材４７との間に軸線方向の吸引力を発生させ、弁体３８が閉弁方向に迅速に移動できるようにしている。第２プランジャ６８は、接続部材４７内に形成された段差部との間に介装されたスプリング７４（「付勢部材」に該当する）によって上方へ付勢されている。このスプリング７４は、弁体３８を付勢するスプリング３７よりも大きな荷重を有する。
【００２８】
接続部材４７の下端面には、シール用のＯリング８０が介装されている。スリーブ４４の上端開口部には、半径方向外向きに延出するフランジ部２５が設けられている。そして、フランジ部２５と接続部材４７との間にダイヤフラム６５の外周縁部およびＯリング８０を挟むようにしてダイヤフラム６５を固定している。接続部材４７の下端部には環状のプレート７８が圧入され、フランジ部２５を下方から支持している。すなわち、スリーブ４４は、プレート７８の圧入により接続部材４７ひいてはボディ５に対して固定されている。
【００２９】
スリーブ４４とコア４２とは、圧入および加締めにより軸線方向に接合されている。スリーブ４４の内方には、第１プランジャ６６が軸線方向に進退自在に配置されている。第１プランジャ６６には、コア４２の中心を軸線方向に延びるシャフト５８の一端が圧入されている。シャフト５８は、その一端部の軸線方向位置が第１プランジャ６６におけるスリーブ４４との摺動部６７の軸線方向位置と重なるように位置決めされている。
【００３０】
シャフト５８の他端は、コア４２の下端部に螺合された軸受部材９０によって支持されている。シャフト５８の途中には止輪９２が嵌合され、その止輪９２によって上方への移動が規制されるようにばね受け９４が設けられている。ばね受け９４と軸受部材９０との間には、第１プランジャ６６をシャフト５８を介してコア４２から離れる方向へ付勢するスプリング７５が介装されている。このスプリング７５の荷重は、軸受部材９０のコア４２への螺入量を変えることによって調整することができる。
【００３１】
以上の構成において、弁体３３と弁座２０とにより主弁が構成され、その主弁の開度によって吐出室からクランク室へ導入される冷媒流量が調整される。また、弁体３８と弁座３６とにより副弁が構成され、その副弁の開閉によりクランク室から吸入室への冷媒の導出が許容または遮断される。すなわち、制御弁１は、主弁と副弁のいずれか一方を開弁させることにより冷媒の流れを切り替える三方弁としても機能する。
【００３２】
本実施形態においては、弁体３３の主弁における有効受圧径ａ（シール部径）と、作動ロッド５０の摺動部における有効受圧径ｂ（シール部径）とが実質的に等しく設定されている。このため、弁体３３に作用する吐出圧力Ｐｄの影響がキャンセルされる。このように高圧の吐出圧力Ｐｄの影響を受けないため、主弁の制御状態において、弁体３３は、作動室２８にて受ける吸入圧力Ｐｓに基づいて開閉動作するようになる。つまり、制御弁１は、いわゆるＰｓ感知弁として機能する。
【００３３】
次に、制御弁１の動作について説明する。
制御弁１において、ソレノイド３が非通電のときには、コア４２とプランジャ４６との間に吸引力が作用しない。また、吸入圧力Ｐｓが高いため、ダイヤフラム６５に当接した第１プランジャ６６は、スプリング７５の荷重に抗して下方へ変位する。一方、第２プランジャ６８は、スプリング７４によって第１プランジャ６６から離れるよう上方へ付勢されているため、作動ロッド５０を介して弁体３３をその全開位置に付勢する。このとき、作動ロッド５０と第２プランジャ６８との当接状態、つまり副弁の閉弁状態は維持される。圧縮機の吐出室からポート１４に導入された吐出圧力Ｐｄの冷媒は、全開状態の弁部を通過し、ポート１２からクランク室へと流れることになる。したがって、クランク圧力Ｐｃが上昇し、圧縮機は最小容量運転を行う。
【００３４】
一方、自動車用空調装置が起動されたときのように、ソレノイド３に制御電流が供給されると、第１プランジャ６６がダイヤフラム６５を介してスプリング７４の付勢力に抗して第２プランジャ６８を吸引する。このため、第２プランジャ６８がダイヤフラム６５に当接して下方へ移動し、これに伴って、弁体３３がスプリング３７により押し下げられて弁座２０に着座し、主弁が閉弁状態となる。このとき、作動ロッド５０が、第２プランジャ６８から離間した状態となる。すなわち、弁体３８が弁座３６から離間して副弁が開弁し、ブリード機能が発揮される。
【００３５】
こうして吸入室の吸入圧力Ｐｓが十分に低くなると、ダイヤフラム６５がその吸入圧力Ｐｓを感知して上方へ変位し、第２プランジャ６８が作動ロッド５０に当接する。このとき、ソレノイド３に供給される制御電流を空調の設定温度に応じて小さくすると、第２プランジャ６８および第１プランジャ６６は吸着状態のまま一体となって、吸入圧力Ｐｓによる力と、スプリング３７，７４，７５の合力と、ソレノイド３の吸引力とがバランスする位置まで上方へ移動する。これにより、弁体３３が第２プランジャ６８により押し上げられ、弁座２０から離れて所定の開度に設定される。したがって、吐出圧力Ｐｄの冷媒が開度に応じた流量に制御されてクランク室に導入され、圧縮機は、制御電流に対応した容量の運転に移行するようになる。
【００３６】
ソレノイド３の電磁コイル５３に供給される制御電流が一定の場合、ダイヤフラム６５が吸入圧力Ｐｓを感知して弁開度を制御する。例えば冷凍負荷が大きくなって吸入圧力Ｐｓが高くなった場合には、弁体３８が作動ロッド５０，第２プランジャ６８，ダイヤフラム６５及び第１プランジャ６６と一体となって下方へ変位するので、弁開度が小さくなり、圧縮機は、吐出容量を増やすよう動作する。その結果、吸入圧力Ｐｓが低下して設定圧力に近づくようになる。逆に、冷凍負荷が小さくなって吸入圧力Ｐｓが低くなった場合は、弁体３３が上方へ変位して弁開度を大きくするので、圧縮機は、吐出容量を減らすよう動作する。その結果、吸入圧力Ｐｓが上昇して設定圧力に近づくようになる。このようにして、制御弁１は、吸入圧力Ｐｓがソレノイド３によって設定された設定圧力Ｐsetになるよう圧縮機の吐出容量を制御する。
【００３７】
次に、本実施形態における異物排出促進構造について説明する。本実施形態では、ポート１４から導入された冷媒に異物が含まれる場合に、その異物が作動ロッド５０とガイド孔２６との間隙に侵入することを効果的に抑制するとともに、その異物を主通路に沿って排出可能な異物排出促進構造が設けられる。以下、その詳細について説明する。
【００３８】
図２は、異物排出促進構造を表す図である。（Ａ）は図２のＡ部拡大図である。（Ｂ）は（Ａ）のＢ−Ｂ矢視断面図である。なお、図２（Ａ）においては便宜上、ポート１４と中間圧力室２４との境界を二点鎖線にて示している。図３は、図２のＣ部拡大図である。（Ａ）は本実施形態の構成を示し、（Ｂ）は変形例の構成を示す。
【００３９】
図２（Ａ）および（Ｂ）に示すように、本実施形態では、ポート１４とガイド孔２６との間に断面円形の中間圧力室２４が設けられている。そして、中間圧力室２４の底部近傍による段差部２７が形成されている。この段差部２７は、ポート１４から侵入した異物を受け止めるための底面２９を有する。底面２９は、ポート１４よりもガイド孔２６側に位置する。図２（Ｂ）にも示すように、段差部２７を画定する中間圧力室２４の内壁３１の径ｄが、弁孔１８の径ａよりも大きくなるように構成されている（ｄ＞ａ）。
【００４０】
図３（Ａ）に示すように、段差部２７の底面２９と内壁３１とのなす角度θが９０度となるように構成されている。なお、内壁３１は、ガイド孔２６の軸線と平行に形成されている。このような構成により、ポート１４から侵入した異物のほとんどは、主通路に沿って弁孔１８に直接導かれるか、縮径部５１に当たった後、その外周面に沿って弁孔１８に導かれるか、あるいは段差部２７に受け止められた後に弁孔１８に導かれるようになる。すなわち、異物が作動ロッド５０とガイド孔２６との摺動部に直接導かれることが抑制される。段差部２７に受け止められた異物は、主弁（弁部）の前後差圧による吸引力によって弁孔１８側に排出されるようになる。
【００４１】
なお、ガイド孔２６の開口端部については、機械加工上の問題から摺動部の径ｂより大きくするのが好ましいとも言える。ガイド孔２６の開口端がポート１４との接続部となるため、例えばポート１４の孔あけ加工をした際にガイド孔２６側に向けたバリが生じ、それが作動ロッド５０に引っ掛かり、弁体３３の円滑な作動を妨げる場合が想定されるためである。また、作動ロッド５０とガイド孔２６との間には所定のクリアランスがあるため、作動ロッド５０が軸線から微少に傾くことも想定され、このようなバリが生じなくともポート１４の開口部のエッジが作動ロッド５０に引っ掛かることも想定される。このような観点から、ガイド孔２６の開口端を若干拡径してこれらの問題を回避することが考えられる。例えば、弁体３３が吐出圧力Ｐｄの影響を受けない程度に弁孔１８の径ａをガイド孔２６の本体の径ｂよりやや大きくし（ａ＞ｂ）、ガイド孔２６の拡径部の径を弁孔１８の径ａと等しくするなどが考えられる。
【００４２】
しかしながら、発明者らの検証によると、ガイド孔２６にそのような拡径部を形成した場合、かえって作動ロッド５０との隙間に異物が挟まる態様で堆積し易くなり、摺動部へ引き込まれ易くなることが判明した。そこで、本実施形態ではその拡径部に対応する部分を意図的に大きくして段差部２７とし（ｄ＞ａ）、ガイド孔２６の開口部付近に導かれた異物を段差部２７の底面２９上に分散させることで、異物が隙間に挟まるといった状況の発生を抑制している。
【００４３】
なお、図３（Ｂ）に示す変形例のように、段差部１２７の底面１２９と内壁３１とのなす角度θを９０度よりも小さい鋭角となるようにしてもよい。このような構成により、段差部１２７に一旦受け止められた異物が、作動ロッド５０とガイド孔２６との摺動部に導かれ難くなる。すなわち、段差部１２７に受け止められた異物を安定に保持し、主弁の開弁時により確実に排出できるようになるため、異物の排出促進効果が高められる。
【００４４】
以上、本発明の好適な実施形態について説明したが、本発明は特定の実施形態に限定されるものではなく、本発明の技術思想の範囲内で種々の変形が可能であることはいうまでもない。
【００４５】
上記実施形態では、図２に示したように、中間圧力室２４の径を段差部２７から弁孔１８の近傍に到るまで一定とした。変形例においては中間圧力室２４を段付円孔状に形成してもよい。それにより、段差部２７において内壁３１の径が最大となるようにしてもよい。図３（Ｂ）に示す変形例についても同様である。
【００４６】
上記実施形態では述べなかったが、作動ロッドにおけるガイド孔との摺動面に、対象装置の流体通路を形成する金属（摺動部への侵入可能性がある異物）よりも柔らかい材質からなるコーティングを施してもよい。その場合、ガイド孔の半径と作動ロッドの半径との差をｓ、コーティング膜の厚みをｔとした場合に、ｓ／２≦ｔ＜ｓの関係を有するようにする。より好ましくは、２ｓ／３≦ｔ＜ｓの関係を有するようにする。コーティング膜の材質としてフッ素系樹脂を用いてもよい。
【００４７】
上記実施形態では、作動ロッドとして中空構造のものを例示した。変形例においては、作動ロッドを中実構造としてもよい。例えば、ブリード機能とは無関係の中実のシャフトを作動ロッドとしてもよい。ブリード機能を有しない制御弁に対して上記異物排出促進構造を適用してもよい。
【００４８】
上記実施形態では、ソレノイドをアクチュエータとする電磁弁に異物排出促進構造を適用する例を示した。変形例においては、ステッピングモータ等の電動機をアクチュエータとする制御弁に対して同様の異物排出促進構造を適用してもよい。また、上記実施形態では、可変容量圧縮機用制御弁に異物排出促進構造を適用する例を示した。変形例においては、冷凍サイクルに設けられる他の制御弁に適用してもよい。あるいは、冷凍サイクルに限らず、流体の流れを制御する他の制御弁に適用してもよい。
【００４９】
なお、本発明は上記実施形態や変形例に限定されるものではなく、要旨を逸脱しない範囲で構成要素を変形して具体化することができる。上記実施形態や変形例に開示されている複数の構成要素を適宜組み合わせることにより種々の発明を形成してもよい。また、上記実施形態や変形例に示される全構成要素からいくつかの構成要素を削除してもよい。
【符号の説明】
【００５０】
１  制御弁、  ３  ソレノイド、  ５  ボディ、  １２，１４，１６  ポート、  １８  弁孔、  ２０  弁座、  ２４  中間圧力室、  ２６  ガイド孔、  ２７  段差部、  ２９  底面、  ３１  内壁、  ３３  弁体、  ３６  弁座、  ３８  弁体、  ５０  作動ロッド、  ５１  縮径部、  １２７  段差部、  １２９  底面。
【図１】
2016037929.tif 000003
【図２】
2016037929.tif 000004
【図３】
2016037929.tif 000005